(57)【特許請求の範囲】
【請求項１】
（ａ）下記一般式（１）で表される、ニトリル基が結合する炭素原子に４級アンモニウム基が結合したアルカンニトリル化合物、（ｂ）スルホン酸基又は硫酸エステル基と、炭素数８〜１５のアルキル基又はアルケニル基の１つ以上とを有する陰イオン界面活性剤、（ｃ）分子中にアクリル酸又はメタクリル酸に由来する構成単位を５０モル％以上有する重合体、及び（ｄ）無機過酸化物を含有し、且つ（ｂ）／（ａ）がモル比で１．５〜１００である漂白洗浄剤組成物。
【化１】
0004265860.tif 000009
〔式中、Ｒ１はエステル基、アミド基又はエーテル基で分断されていても良い炭素数１〜１２のアルキル基又はアルケニル基であり、Ｒ２、Ｒ３はそれぞれ独立に炭素数１〜３のアルキル基又はヒドロキシアルキル基である。Ｒ４は水素原子、炭素数１〜１２のアルキル基もしくはアルケニル基又はアリール基である。ただし、Ｒ１、Ｒ４の何れか一方が炭素数４〜１２のアルキル基もしくはアルケニル基又は炭素数６〜１２のアリール基である。Ｘ−は陰イオンである。〕
【請求項２】
（ｄ）炭素数６〜１４のアルカノイル基を有するアルカノイルオキシベンゼンスルホン酸もしくは炭素数６〜１４のアルカノイル基を有するアルカノイルオキシベンゼンカルボン酸又はこれらの塩から選ばれる漂白活性化剤を含有する、請求項１記載の漂白洗浄剤組成物。
【請求項３】
衣料用である、請求項１又は２記載の漂白洗浄剤組成物。
【請求項４】
（ａ）が造粒物として配合されている、請求項１〜３の何れか１項記載の漂白洗浄剤組成物。
【請求項５】
前記造粒物が、ポリエチレングリコール及び脂肪酸から選ばれるバインダー物質を含有する、請求項４記載の漂白洗浄剤組成物。
【請求項６】
前記造粒物が、ポリオキシアルキレンアルキルエーテル、アルキル硫酸エステル塩及びポリオキシエチレンアルキルエーテル硫酸エステル塩から選ばれる化合物を含有する、請求項４又は５記載の漂白洗浄剤組成物。
【発明の詳細な説明】
【０００１】
【発明の属する技術分野】
本発明は漂白洗浄剤組成物に関する。
【０００２】
【従来の技術及び発明が解決しようとする課題】
食べこぼしのシミや肌着の黄ばみ等は通常の洗剤では落としきれない汚れであるため、一般に漂白剤が併用されたり、漂白剤が配合された洗剤を使用するなどの方法が採られている。また、漂白剤の効果を高める目的で漂白活性化剤を併用することも行われている。
【０００３】
本発明者らは特開昭６４−６８３４７号公報で４級アンモニウム基とニトリル基を有する漂白活性化剤が高い漂白効果を有することを開示した。また、特開平４−２５３９４７号公報には有機陰イオンを対イオンにした４級アンモニウム基とニトリル基を有する漂白活性化剤が開示されている。
【０００４】
一方、漂白活性化剤の漂白効果は洗濯浴中で生成する有機過酸の構造と対象とする汚れとの親和性が漂白効果に大きく影響し、例えば黄ばみ汚れ等の親油性汚れに対しては親油基を有する有機過酸を生成する漂白活性化剤が効果を持つことが知られている。ところがこの知見を上記ニトリル型漂白活性化剤に応用すると高い漂白効果を有するものの、一旦脱離した汚れが衣料に再付着する所謂再汚染が起こるという問題が生じ、この改善が求められている。
【０００５】
従って本発明の課題は、高い漂白効果を有し且つ、再汚染を抑制する漂白洗浄剤組成物を提供することにある。
【０００６】
【課題を解決するための手段】
本発明は、（ａ）ニトリル基が結合する炭素原子に４級アンモニウム基が結合したアルカンニトリル化合物〔以下、（ａ）成分という〕、（ｂ）スルホン酸基又は硫酸エステル基と、炭素数８〜１５のアルキル基又はアルケニル基の１つ以上とを有する陰イオン界面活性剤〔以下、（ｂ）成分という〕、（ｃ）分子中にアクリル酸又はメタクリル酸に由来する構成単位を５０モル％以上有する重合体〔以下、（ｃ）成分という〕、及び（ｄ）無機過酸化物〔以下、（ｄ）成分という〕を含有し、且つ（ｂ）／（ａ）がモル比で１．５〜１００である漂白洗浄剤組成物に関する。
【０００７】
【発明の実施の形態】
（ａ）成分
本発明の（ａ）成分としては、下記一般式（１）の化合物が特に好ましい。
【０００８】
【化２】
0004265860.tif 000002
【０００９】
〔式中、Ｒ1はエステル基、アミド基又はエーテル基で分断されていても良い炭素数１〜１２のアルキル基又はアルケニル基であり、Ｒ2、Ｒ3はそれぞれ独立に炭素数１〜３のアルキル基又はヒドロキシアルキル基、好ましくはメチル基、エチル基又はヒドロキシエチル基である。Ｒ4は水素原子、炭素数１〜１２のアルキル基もしくはアルケニル基又はアリール基である。ただし、Ｒ1、Ｒ4の何れか一方、好ましくはＲ1が炭素数４〜１２のアルキル基もしくはアルケニル基又は炭素数６〜１２のアリール基、好ましくは炭素数６〜１２のアルキル基である。Ｘ-は陰イオンであり、好ましくはハロゲンイオン、硫酸イオン、脂肪酸イオン又は炭素数１〜３のアルキル硫酸イオンである。〕。
【００１０】
（ａ）成分は、下式で示すように、洗濯浴中で後述する無機過酸化物化合物から生成するヒドロペルアニオンと反応し、過イミジン酸が生成し高い漂白効果を示す。
【００１１】
【化３】
0004265860.tif 000003
【００１２】
本発明の（ａ）成分は造粒物として組成物に配合することが好ましい。造粒物中の（ａ）成分の含有量は、好ましくは１〜９０重量％、より好ましくは１０〜８５重量％、特に好ましくは３０〜８０重量％である。これらはポリエチレングリコール及び脂肪酸から選ばれるバインダー物質を用いて製剤化される。ポリエチレングリコールとしては好ましくは重量平均分子量２０００〜２００００、より好ましくは４０００〜１００００、特に好ましくは４０００〜８０００のものが良好である。また、脂肪酸としては好ましくは炭素数８〜２０、より好ましくは１０〜１８、特に好ましくは１２〜１８であり、これらはナトリウムあるいはカリウム石鹸の状態であってもよい。このようなバインダー物質は造粒物中に０．５〜３０重量％、好ましくは１〜２０重量％、より好ましくは５〜２０重量％使用する。
【００１３】
また、該造粒物には漂白活性化剤の洗濯浴中での溶解性を改善するためにポリオキシアルキレンアルキルエーテル、アルキル硫酸エステル塩またはポリオキシエチレンアルキルエーテル硫酸エステル塩あるいはこれらの混合物を好ましくは０〜５０重量％、より好ましくは５〜４５重量％、特に好ましくは１０〜４０重量％配合する。ポリオキシアルキレンアルキルエーテルとしては、アルキル基の炭素数は１０〜１４が好ましく、好ましくはエチレンオキシド（以下ＥＯという）及び／又はプロピレンオキシド（以下ＰＯという）の付加体、より好ましくはＥＯとＰＯのブロック付加体である。平均付加モル数はＥＯ、ＰＯ、あるいはＥＯとＰＯの混合の何れも場合も、合計で好ましくは４〜３０、より好ましくは５〜１５であり、ＥＯ／ＰＯのモル比は、好ましくは５／１〜１／５、より好ましくは３／１〜１／２である。また、アルキル硫酸エステル塩としては、アルキル基の炭素数が１０〜１８であり、しかもナトリウム塩などのアルカリ金属塩が好ましく、特にラウリル硫酸エステルナトリウム又はミリスチル硫酸エステルナトリウムが好ましい。また、ポリオキシエチレンアルキルエーテル硫酸エステル塩としては、炭素数１０〜１８のアルキル基を有するポリオキシエチレンアルキルエーテル硫酸エステル塩が好ましく、またナトリウム塩が良好である。ここでオキシエチレン基の平均重合度（以下、平均重合度をＰＯＥで示す）は１〜１０、好ましくは１〜５が良好であり、特にポリオキシエチレンラウリルエーテル硫酸エステルナトリウム（ＰＯＥ＝２〜５）、ポリオキシエチレンミリスチルエーテル硫酸エステルナトリウム（ＰＯＥ＝２〜５）が良好である。
【００１４】
本発明では上記組成物を任意の方法で混合し造粒することができる。また、バインダー物質は予め融解して添加することで好ましい結果を得ることができる。バインダー物質は４０〜１００℃、好ましくは５０〜１００℃、より好ましくは５０〜９０℃で融解させて添加する。これらは均一になるまで攪拌混合された後、通常の造粒機により製剤化される。好ましい造粒法として押し出し造粒を挙げることができ、平均粒径が５００μｍ〜５０００μｍ、好ましくは５００〜３０００μｍの造粒物にすることが好ましい。また、その他の造粒法としてはブリケット機による錠剤形状にすることも好ましい造粒法として挙げることができる。
【００１５】
また、本発明では漂白活性化剤の安定性を向上させる目的で所望により造粒物中に酸性物質を配合してもよい。酸性物質としては有機カルボン酸類が好ましく、特にこはく酸、マレイン酸、フマール酸、クエン酸、グリコール酸、ｐ−ヒドロキシ安息香酸から選ばれる少なくとも１種が好ましい。このような酸性物質の配合量は好ましくは造粒物中０．５〜２０重量％、より好ましくは１〜１５重量％、最も好ましくは１〜１０重量％が好適である。
【００１６】
（ｂ）成分
本発明の（ｂ）成分はスルホン酸基又は硫酸エステル基を有し、且つ炭素数８〜１５のアルキル基又はアルケニル基を１つ以上有する陰イオン界面活性剤である。より具体的にはオレフィンスルホン酸塩、アルカンスルホン酸塩、α−スルホ脂肪酸塩、α−スルホ脂肪酸エステル、アルキルベンゼンスルホン酸塩、アルキル硫酸エステル塩、ポリオキシエチレンアルキルエーテル硫酸エステル塩を挙げることができ、特にアルキル基の炭素数が８〜１５、好ましくは１０〜１５のアルキルベンゼンスルホン酸塩、アルキル基の炭素数が８〜１４、好ましくは１０〜１４のアルキル硫酸エステル塩、アルキル基の炭素数が８〜１４、好ましくは１０〜１４、平均付加モル数が１〜６のポリオキシエチレンアルキルエーテル硫酸エステル塩から選ばれる１種以上の陰イオン界面活性剤を用いることが好ましい。
【００１７】
（ｃ）成分
本発明の（ｃ）成分は分子中にアクリル酸又はメタクリル酸に由来する構成単位を５０モル％以上、好ましくは６０〜１００モル％有する重合体であり、特に重量平均分子量５千〜４万、好ましくは５千〜３万、特に好ましくは５千〜２万のポリアクリル酸、ポリメタクリル酸（塩）か、もしくは重量平均分子量３万〜１０万、好ましくは４万〜８万、アクリル酸／マレイン酸のモル比が５／５〜９／１、好ましくは６／４〜８／２のアクリル酸とマレイン酸のコポリマー（塩）が良好である。（ｃ）成分の重合体の重量平均分子量は、ポリエチレングリコールを基準とするゲルパーミエーションクロマトグラフィーにより測定されたものである。
【００１８】
（ｄ）成分
本発明の（ｄ）成分である無機過酸化物としては、過炭酸塩あるいは過ホウ酸塩が好ましい。また、ゼオライトを含有する洗浄剤に使用する場合には、安定化のために無機又は有機化合物で被覆した過炭酸ナトリウムを使用することが好ましい。被覆剤としてはホウ酸もしくはホウ酸塩、非晶質ケイ酸塩、マグネシウム塩、又はパラフィンやワックス等の水不溶性有機化合物が挙げられる。被覆した過炭酸ナトリウムは、公知の方法で製造することができ、例えば特開昭５９−１９６３９９号公報、ＵＳＰ４５２６６９８号（何れも過炭酸ナトリウムをホウ酸塩で被覆）の他に特開平６−４０７０９号公報、特開平７−１１８００３号公報に掲載されている方法を挙げることができる。
【００１９】
無機過酸化物の平均粒径は２００〜６００μｍが好ましく、溶解性及び安定性の両方を満たすために粒径１２５μｍ以下の粒子及び１０００μｍ以上の粒子は１０重量％以下であることが好ましい。
（漂白洗浄剤組成物）
本発明の組成物は、好ましくは粉末ないし粒状形態であり、漂白効果の点から（ａ）成分を好ましくは０．０５〜２０重量％、より好ましくは０．１〜１５重量％、特に好ましくは０．１〜１０重量％含有する。また、（ｂ）成分を漂白洗浄力、再汚染防止性及び泡立ち性の点で、好ましくは０．１〜６０重量％、より好ましくは０．１〜５０重量％、特に好ましくは０．５〜４０重量％含有する。また、（ｃ）成分を、再汚染防止性の点から、好ましくは０．５〜２０重量％、特に好ましくは１〜１５重量％含有する。また、（ｄ）成分を好ましくは０．５〜９９重量％、より好ましくは１〜９５重量％、特に好ましくは１〜９０重量％含有する。
【００２０】
さらに、再汚染防止性の点から（ｂ）／（ａ）のモル比が１．５〜１００、好ましくは２〜５０、特に好ましくは２〜２０であることが重要であり、この範囲において満足できる再汚染防止性と漂白効果を得ることができる。
（その他の成分）
本発明では（ａ）成分の漂白活性化剤以外の漂白活性化剤を併用することが漂白効果の点から好ましく、特に炭素数６〜１４、好ましくは７〜１３のアルカノイル基を有するアルカノイルオキシベンゼンスルホン酸もしくは炭素数６〜１４、好ましくは７〜１３のアルカノイル基を有するアルカノイルオキシベンゼンカルボン酸又はこれらの塩が好ましい。具体的にはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。
【００２１】
これらの中でも特にノナノイルオキシ−ｐ−ベンゼンスルホン酸、デカノイルオキシ−ｐ−ベンゼンスルホン酸、ドデカノイルオキシ−ｐ−ベンゼンスルホン酸及びこれらの塩が漂白効果の点から好ましく、組成物中に０．１〜１０重量％、好ましくは０．５〜５重量％である。
【００２２】
本発明の漂白洗浄剤組成物には漂白洗浄効果を向上させる目的で非イオン界面活性剤を使用することが好ましい。非イオン界面活性剤としては、ポリエチレングリコール又はポリプロピレングリコール或いはこれらのコポリマー、ポリオキシエチレンアルキル又はアルケニルエーテル、ポリオキシエチレンアルキルフェニルエーテル、高級脂肪酸アルカノールアミド又はそのアルキレンオキシド付加物、蔗糖脂肪酸エステル、アルキルグリコシドを挙げることができ、特に炭素数１０〜２０、好ましくは１０〜１８のアルキル基若しくはアルケニル基と、平均縮合度４〜２０、好ましくは４〜１５のポリオキシエチレン鎖及び／又はポリオキシプロピレン鎖を分子内に有するポリオキシアルキレンアルキル又はアルケニルエーテルが好ましい。
【００２３】
本発明において非イオン界面活性剤の配合量は、漂白洗浄力、泡立ち性の点で、組成物中に好ましくは０．１〜２０重量％、より好ましくは０．１〜１０重量％、特に好ましくは０．５〜８重量％である。また、再汚染防止性の点から（ｂ）成分である陰イオン界面活性剤に対する非イオン界面活性剤の重量比が、非イオン界面活性剤／（ｂ）＝１／１〜１／５０、特に１／２〜２０／１であることが望ましい。
【００２４】
本発明の漂白洗浄剤組成物には漂白洗浄効果の点から、アルカリ金属炭酸塩を配合することが好ましい。アルカリ金属炭酸塩としては、安定性の上で、ナトリウム塩が好ましく、炭酸ナトリウム、重炭酸ナトリウム及びセスキ炭酸ナトリウムを挙げることができる。最も好ましいものは炭酸ナトリウムであり、平均粒径が１００〜５００μｍのものを使用することが好ましカリ金属炭酸塩は、漂白洗浄剤組成物中に、好ましくは０．５〜６０重量％、より好ましくは１〜５０重量％配合される。
【００２５】
本発明の漂白洗浄剤組成物には、珪酸塩を配合することが好ましい。珪酸塩は１〜３号珪酸ナトリウム等の非晶質珪酸ナトリウム、特開平７−８９７１２号公報、特開昭６０−２２７８９５号公報及び Phys. Chem. Glasses. 7, p127-p138(1966)、Z.Kristallogr., 129, p396-p404(1969)に記載されている結晶性珪酸塩、並びにクラリアント社より商品名「Ｎａ−ＳＫＳ−６」（δ−Ｎａ2Ｓｉ2Ｏ5）として市販されている結晶性珪酸ナトリウムが好ましい。
【００２６】
なお、本発明でいう珪酸塩は２０℃のイオン交換水に０．１重量％分散した場合の最大ｐＨが１１以上であり、上記分散液１Ｌに対してｐＨを１０にするために０．１ＮのＨＣｌ水溶液を５ｍｌ以上必要とするアルカリ能に優れるものであり、ゼオライトである結晶性アルミノ珪酸塩とは区別される。珪酸塩は、漂白洗浄剤組成物中に、好ましくは０．１〜２０重量％、より好ましくは０．５〜１０重量％配合される。
【００２７】
本発明ではプロテアーゼ、セルラーゼ、リパーゼから選ばれる１種以上の酵素を配合することが好ましく、特に好アルカリ性微生物バチルス・エスピー  ＫＳＭ−６３５（ＦＥＲＭ  ＢＰ−１４８５）又はその変異株から生産されるアルカリセルラーゼ及び／又はアルカリプロテアーゼを配合することが好ましい。アルカリプロテアーゼとしてはアルカラーゼ、サビナーゼ（ノボ・ノルディック社製）、マクサカル（ギスト・ブロケイデス社製）、ＫＡＰ４．３Ｇ（花王（株）製）、ＫＡＰ１１．１Ｇ（花王（株）製）等が挙げられるが、特にＫＡＰ４．３Ｇ、ＫＡＰ１１．１Ｇが優れているを使用することでさらに漂白洗浄効果を向上させる目的で好ましい。また、アルカリセルラーゼはカルボキシメチルセルロースを基質とした時の至適ｐＨが７以上であるか、或いはｐＨ８以上での相対活性が至適条件に対し５０％以上のものが好ましい。市販されている酵素造粒物として具体的にはＫＡＣ５００（花王（株）製）が挙げられる。
【００２８】
本発明の漂白洗浄剤組成物には、水道水中のカルシウムやマグネシウム等の濃度を低下させたり、粒子の粉末物性を向上させるための平均粒径が０．１〜１０μｍのＡ型又はＰ型ゼオライト等の金属イオン交換体、重金属による漂白種の分解を抑制するエチレンジアミン四酢酸塩、エタン−１，１−ジホスホン酸、エタン−１，１，２−トリホスホン酸塩等の金属イオン補足剤、シリコーンオイルとシリカをポリエチレングリコールやセルロース系化合物に担持した消泡剤、洗剤生地の増量剤としてのぼう硝（硫酸ナトリウム）、その他蛍光染料、香料等を配合することができる。
【００２９】
本発明では上述のその他洗浄剤成分を粉末ないしは粒状の組成物として使用でき、その製造方法は特に限定されることはなく、従来より公知の方法を用いることができる。好ましくは高嵩密度の粒状の組成物である。高嵩密度化は、例えば、噴霧乾燥粒子に非イオン界面活性剤を噴霧して高密度化する方法や、また吸油担体を含む粉体成分に直接非イオン界面活性剤を吸蔵させながら高密度化する方法が挙げられるが、特開昭６１−６９８９７号公報、特開昭６１−６９８９９号公報、特開昭６１−６９９００号公報、特開平２−２２２４９８号公報、特開平２−２２２４９９号公報、特開平３−３３１９９号公報、特開平５−８６４００号公報、特開平５−２０９２００号公報に記載の方法を参考にすることができる。また、ゼオライトは、造粒物の表面改質剤として使用するために、少量を造粒中又は造粒終了直前に添加してもよい。また、結晶性珪酸塩を配合する場合、結晶性珪酸塩は高嵩密度化時に添加するか、ドライブレンドにて添加した方が好ましい。またアルカリ金属炭酸塩を配合する場合はスラリー中、造粒中又はドライブレンドの何れに添加してもよい。
【００３０】
本発明の漂白洗浄剤組成物の平均粒径は、好ましい粉末物性を得るために２００〜１０００μｍ、特に２００〜６００μｍであることが望ましい。また、本発明の漂白洗浄剤組成物の嵩密度は０．５〜１．２ｇ／ｃｍ3、好ましくは０．６〜１．０ｇ／ｃｍ3である。
【００３１】
本発明の漂白洗剤組成物は洗濯機洗浄、漬け置き洗浄などの洗浄方法、並びに衣類や水の量、汚れの度合い、機械の使用方法などにより、それぞれの洗浄に適した濃度にして使用することができる。例えば、洗濯機洗浄の場合、０．０３〜０．３重量％の濃度、漬け置き洗浄では０．１〜２重量％の濃度で使用することが好ましい。
【００３２】
【実施例】
・合成例１（化合物Ａ−１の合成）
クロロアセトニトリルとオクチルジメチルアミンを用いて通常の４級化反応を行い、下記の化合物Ａ−１を合成した。溶媒としてはアセトンを使用し、トリメチルアミンはガスを反応器内に導入する方法を用いた。反応温度は６０℃である。反応後析出した結晶を、窒素をブローしながらろ過し、得られた結晶をアセトンで数回洗浄して乾燥させた。吸湿性物質であるため、デシケータ中で貯蔵した。
【００３３】
【化４】
0004265860.tif 000004
【００３４】
・合成例２（化合物Ａ−２の合成）
ジメチルアミン、１−オクタナール及びＫＣＮを用いて通常の方法で（ＣＨ3)2−Ｎ−ＣＨ(Ｃ7Ｈ15)−ＣＮを合成し、該化合物をジメチル硫酸を用いて通常の方法で４級化して下記の化合物Ａ−２を得た。
【００３５】
【化５】
0004265860.tif 000005
【００３６】
・製造例１−１（造粒物Ａ−１の製造）
化合物Ａ−１  ７０重量部、ＰＥＧ〔ポリエチレングリコール（重量平均分子量８０００、アルドリッチ社製）〕２０重量部、ＦＡ（ミリスチン酸）５重量部、ＡＳ（ラウリル硫酸エステルナトリウム）５重量部の割合で合計５０００ｇになるようにハイスピードミキサーＦＳ−ＧＣ−１０型（深江工業（株）製）に仕込んだ（ＰＥＧ及びＦＡは予め８０℃で融解したものを用いた）。ジャケット温度を８０℃、主軸回転数２００回転／分、解砕羽根の回転数１５００回転／分で混合・昇温し、粉体の温度が７０℃になったところで抜き出した。次いで得られた混合物を押し出し造粒機〔ペレッターダブルＥＸＤ−１００型（不二パウダル（株）製）〕により孔径８００μｍのスクリーンを通して押し出しした。得られた押し出し物を振動冷却器〔バイブロ／フロードライヤーＶＤＦ／６０００型（不二パウダル（株）製）〕で冷却した後、整粒機〔ナイフカッターＦＬ−２００型（不二パウダル（株）製）〕にて解砕した。得られた解砕物を分級し、平均粒径９００μｍの造粒物ａ−１とした。
【００３７】
・製造例１−２（造粒物Ａ−２の製造）
化合物Ａ−１を化合物Ａ−２に変更した以外は製造例１−１と同様の方法で造粒物Ａ−２を製造した。
【００３８】
・製造例１−３（造粒物Ｅ−１の製造）
ハイスピードミキサーへの仕込み原料をドデカノイルオキシベンゼンスルホン酸ナトリウム７０重量部、ＰＯＥＯ（ラウリルアルコールにＥＯを平均２モル、ＰＯを平均３モル、ＥＯを平均３モルを順にブロック状に付加させたもの）５重量部、ＥＳ〔ポリオキシエチレンラウリルエーテル硫酸エステルナトリウム（ＥＯ平均付加モル数３）〕５重量部、こはく酸５重量部、ＰＥＧ（前記と同じ）１５重量部とした以外は製造例１−１と同様の方法で造粒物Ｅ−１を製造した。
【００３９】
・製造例２（被覆された過炭酸ナトリウムＤ−１の調製）
特開昭５９−１９６３９９号公報の実施例１に基づいてメタホウ酸ナトリウム・４水和物を過炭酸ナトリウム１００重量部に対して３重量部及び１号珪酸ナトリウム１重量部にて被覆し、被覆過炭酸ナトリウム（Ｄ−１）を製造した。Ｄ−１の平均粒径は４５０μｍ（粒子１２５μｍ以下の粒子及び粒径１０００μｍ以上の粒子を除去したもの）である。
【００４０】
実施例
上述の製造例で得られた成分及び下記成分を用いて表１の漂白洗浄剤組成物を調製した。それらの染料移り防止効果及び漂白洗浄効果を下記の方法で評価した。結果を表１に示す。
・Ｂ−１；直鎖アルキル（炭素数１２〜１４）ベンゼンスルホン酸ナトリウム
・Ｂ−２；アルキル硫酸ナトリウム〔エマール１０パウダー（花王（株）製）〕
・Ｃ−１；アクリル酸−マレイン酸コポリマーナトリウム塩（重量平均分子量５万、アクリル酸／マレイン酸モル比７０／３０）
・Ｃ−２；ポリアクリル酸ナトリウム（重量平均分子量１万）
・Ｆ−１；ポリオキシエチレンラウリルエーテル〔カルコール２０９８（Ｃ12アルコール、花王（株）製）にＥＯを１０モル付加したもの〕
・Ｇ−１；ミリスチン酸
・Ｈ−１；アルカリセルラーゼ〔ＫＡＣ５００（花王（株）製）〕
・Ｈ−２；アルカリプロテアーゼ〔ＫＡＰ１１．１Ｇ（花王（株）製）〕
・Ｉ−１；４Ａ型ゼオライト（平均１次粒径；０．３μｍ）
・Ｊ−１；蛍光増白剤〔ホーチンＣＢＵＳ−３Ｂ（ヒクソン＆ウェルチ社製）〕。
【００４１】
＜再汚染防止効果＞
表１に示す組成物の０．１３３重量％水溶液１Ｌ（水道水使用）を調製し、そこにカーボン粉末０．２ｇを入れ、超音波洗浄機を用いてカーボン粉末を均一に分散させた。この溶液に白布の木綿金布＃２００３（１０ｃｍ×１０ｃｍ）５枚入れ、ターゴトメータ型洗浄試験機を使用して洗浄した（水溶液量１Ｌ、水温２０℃、１００回転／分、１０分間洗浄）。その後、水道水ですすぎ、乾燥させ、洗浄後の布の再汚染率を下式により求めた。
【００４２】
【数１】
0004265860.tif 000006
【００４３】
反射率はＮＤＲ−１０１ＤＰ〔日本電色工業（株）製〕で５５０ｎｍフィルターを使用して測定した。
【００４４】
＜漂白洗浄効果の評価＞
表１に示す組成物の０．１３３重量％水溶液（水道水使用）を用い、ターゴトメータ型洗浄試験機を使用して市販汚染布エンパ１１６（１０ｃｍ×１０ｃｍ）５枚を洗浄した（水溶液量１Ｌ、水温２０℃、１００回転／分、１０分間洗浄）。その後、水道水ですすぎ、乾燥させ下式によって漂白率を算出した。
【００４５】
【数２】
0004265860.tif 000007
【００４６】
反射率はＮＤＲ−１０１ＤＰ〔日本電色工業（株）製〕で４６０ｎｍフィルターを使用して測定した。
【００４７】
【表１】
0004265860.tif 000008